(57)【要約】【課題】  操作キーが急激に押し下げられたときの操作キーからタクトスイッチへの衝撃力を緩和することができるようにするとともに、操作キーが押し下げられるときのクリック感を十分に得られるようにする。【解決手段】  キー入力装置５は、主に、操作キー７とタクトスイッチ６とを備えている。操作キー７は、キー入力時に押し下げられるようになっている。タクトスイッチ６は、回路基板４上に配置されている。このタクトスイッチ６は、操作キー７の押し下げ操作によりオンオフ動作するようになっている。このようなキー入力装置５において、操作キー７は複数の突出部７１ｄ，７２ｄを有している。複数の突出部７１ｄ，７２ｄは、操作キー７から突出して一体に形成されている。複数の突出部７１ｄ，７２ｄは、少なくとも１つが回路基板４に当接可能になっている。【選択図】      図４
2005190380.tif 000002
【特許請求の範囲】
【請求項１】
回路基板上に設けられるキー入力装置であって、
キー入力操作時に押し下げられる操作キーと、
前記回路基板上に配置され前記操作キーの押し下げ操作によりオンオフ動作するタクトスイッチと、
を備え、
前記操作キーは、前記操作キーから突出して一体に形成され少なくとも１つが前記回路基板に当接可能な複数の突出部を有する、
キー入力装置。
【請求項２】
複数の前記突出部は、前記回路基板と前記操作キーとの間の前記タクトスイッチの外周に配置される、請求項１に記載のキー入力装置。
【請求項３】
前記操作キーと前記タクトスイッチとの間には第１隙間が所定の間隔で設けられており、複数の前記突出部の先端と前記回路基板との間には第２隙間が所定の間隔で設けられており、前記第１隙間の間隔は前記第２隙間の間隔より小さくなっている、請求項１又は２に記載のキー入力装置。
【請求項４】
前記突出部が前記回路基板に当接したときに前記突出部に生じる応力に応じて、複数の前記突出部それぞれの断面積を変化させている、請求項１から３のいずれかに記載のキー入力装置。
【請求項５】
前記回路基板の撓み量に応じて、複数の前記突出部それぞれの突出長さを変化させている、請求項１から４のいずれかに記載のキー入力装置。
【請求項６】
前記操作キーには前記タクトスイッチに当接可能な当接部が形成されており、前記当接部が前記操作キーに形成された位置に応じて、複数の前記突出部それぞれの突出長さを変化させている、請求項１から５のいずれかに記載のキー入力装置。
【請求項７】
複数の前記突出部の少なくとも１つは、前記回路基板に当接する頻度の高い前記突出部の近傍に近接して配置されている、請求項１から６のいずれかに記載のキー入力装置。
【発明の詳細な説明】
【技術分野】
【０００１】
本発明は、キー入力装置、特に、回路基板上に設けられるキー入力装置に関する。
【背景技術】
【０００２】
複写機、プリンタおよびファクシミリなどやこれら複合機、パーソナルコンピュータおよびワードプロセッサなどの電気機器や電子機器には、キー入力装置が設置されている。キー入力装置は回路基板に配置されている。このキー入力装置は、主に、タクトスイッチと、操作キーと、弾性緩衝部材とを有している。タクトスイッチは、たとえば、はんだ付けにより回路基板上に取り付けられている。このタクトスイッチはスイッチ部を有している。操作キーは、キー入力時に押し下げられる部材であり、タクトスイッチのスイッチ部上に配置されている。弾性緩衝部材は、たとえばばね部材や弾性材からなり、操作キーとタクトスイッチのスイッチ部との間に配置されている。この種のキー入力装置では、操作キーが押し下げ操作されることにより、操作キーが弾性緩衝部材を介してタクトスイッチのスイッチ部を押圧して、タクトスイッチがオンオフ動作するようになっている。
【特許文献１】特開平１０−２５５５８４号公報
【発明の開示】
【発明が解決しようとする課題】
【０００３】
従来のキー入力装置では、タクトスイッチのスイッチ部上に配置された操作キーが押し下げ操作されることにより、操作キーがタクトスイッチのスイッチ部を押圧してタクトスイッチがオンオフ動作するようになっていた。このようなキー入力装置では、操作キーが急激に押し下げられたときに、操作キーからタクトスイッチに衝撃力が入力され、タクトスイッチが損傷してしまうおそれがあった。また、操作キーが急激に押し下げられたときには、タクトスイッチを介して回路基板に撓みが生じ、回路基板にひび割れが生じてしまったり、タクトスイッチを回路基板に取り付けるためのはんだ付け部分にひび割れが生じてしまったりするおそれがあった。これらの問題を解決するために、これまでは、操作キーとタクトスイッチのスイッチ部との間にばね部材や弾性材のような弾性緩衝部材を介在させて、操作キーからタクトスイッチに衝撃力が入力されないようにしていた。しかしながら、操作キーとタクトスイッチのスイッチ部との間に弾性緩衝材を介在させると、操作キーが急激に押し下げられたときの操作キーからタクトスイッチへの衝撃力を緩和することはできるものの、操作キーが押し下げられるときのクリック感が弾性緩衝材の存在により十分に得られなくなってしまうおそれがある。
【０００４】
本発明の課題は、操作キーが急激に押し下げられたときの操作キーからタクトスイッチへの衝撃力を緩和することができるようにするとともに、操作キーが押し下げられるときのクリック感を十分に得られるようにすることにある。
【課題を解決するための手段】
【０００５】
請求項１に係るキー入力装置は、回路基板上に設けられている。このキー入力装置は、操作キーとタクトスイッチとを備えている。操作キーは、キー入力時に押し下げられるようになっている。タクトスイッチは、回路基板上に配置されている。このタクトスイッチは、操作キーの押し下げ操作によりオンオフ動作するようになっている。このようなキー入力装置において、操作キーは複数の突出部を有している。複数の突出部は、操作キーから突出して一体に形成されている。複数の突出部は、少なくとも１つが回路基板に当接可能になっている。
【０００６】
このキー入力装置では、操作キーが押し下げられることにより、操作キーがタクトスイッチを押圧して、タクトスイッチがオンオフ動作するようになっている。このようなキー入力装置では、操作キーが急激に押し下げられるときに、複数の突出部の少なくとも１つが回路基板に当接する。
【０００７】
ここでは、複数の突出部の少なくとも１つが、回路基板に当接可能になっている。複数の突出部の少なくとも１つは、操作キーが急激に押し下げられたときに、回路基板に当接するようになっているので、操作キーからタクトスイッチへの衝撃力を緩和することができる。また、操作キーが押し下げられるときには、操作キーがタクトスイッチを直接押圧してタクトスイッチがオンオフ動作するようになっているので、操作キーを押し下げたときのクリック感を十分に得ることができる。
【０００８】
請求項２に係るキー入力装置では、請求項１に記載のキー入力装置において、複数の突出部が、回路基板と操作キーとの間でタクトスイッチの外周に配置される。この場合、複数の突出部を回路基板と操作キーとの間のタクトスイッチの外周に配置するようにしたことで、操作キーがどのような状態で急激に押し下げられても、複数の突出部の少なくとも１つを回路基板に当接させることができ、操作キーからタクトスイッチへの衝撃力を緩和することができる。
【０００９】
請求項３に係るキー入力装置では、請求項１又は２に記載のキー入力装置において、操作キーとタクトスイッチとの間に第１隙間が所定の間隔で設けられている。そして、複数の突出部の先端と回路基板との間に第２隙間が所定の間隔で設けられている。このとき、第１隙間の間隔は第２隙間の間隔より小さくなっている。この場合、第１隙間の間隔が第２隙間の間隔より小さくなっているので、操作キーが通常の力で押し下げられると、操作キーがタクトスイッチに当接してタクトスイッチを押圧する。これにより、操作キーを押し下げるときのクリック感を十分に得ることができる。一方で、操作キーが急激に押し下げられると、操作キーがタクトスイッチに当接してタクトスイッチを押圧した後、複数の突出部の少なくとも１つの先端が回路基板に当接する。具体的には、操作キーが急激に押し下げられたときには、操作キーがタクトスイッチに当接してタクトスイッチを押圧した後、回路基板には撓みが生じる。このように撓みが生じた回路基板に、複数の突出部の少なくとも１つの先端が当接する。このとき、操作キーからタクトスイッチに入力される衝撃力は、複数の突出部の少なくとも１つの先端を回路基板に当接させることにより緩和することができる。なお、第２隙間は、回路基板に損傷を生じさせない範囲内で、第１隙間の間隔より大きくなるように形成されている。
【００１０】
請求項４に係るキー入力装置では、請求項１から３のいずれかに記載のキー入力装置において、突出部が回路基板に当接したときに突出部に生じる応力に応じて、複数の突出部それぞれの断面積を変化させている。この場合、突出部が回路基板に当接したとしても、突出部が損傷しないようにすることができる。これにより、操作キーからタクトスイッチへの衝撃力を安定的に緩和することができる。
【００１１】
請求項５に係るキー入力装置では、請求項１から４のいずれかに記載のキー入力装置において、回路基板の撓み量に応じて、複数の突出部それぞれの突出長さを変化させている。この場合、回路基板の撓み量に応じて複数の突出部それぞれの突出長さを変化させているので、突出部を回路基板に適切に当接させることができ、操作キーからタクトスイッチへの衝撃力を適切に緩和することができる。たとえば、一般的には、回路基板の撓み量の比較的大きい部分に当接する突出部の突出長さは長く形成され、回路基板の撓み量の比較的小さい部分に当接する突出部の突出長さは短く形成される。しかしながら、操作キーは必ずしも傾くことなく押し下げられるわけではないので、操作キーの押し下げ状態によっては、回路基板の撓み量の比較的大きい部分に当接する突出部の突出長さが短く形成されたり、回路基板の撓み量の比較的小さい部分に当接する突出部の突出長さが長く形成されたりする場合もある。
【００１２】
請求項６に係るキー入力装置では、請求項１から５のいずれかに記載のキー入力装置において、操作キーにはタクトスイッチに当接可能な当接部が形成されている。この当接部が操作キーに形成された位置に応じて、複数の突出部それぞれの突出長さを変化させている。この場合、操作キーを押し下げ操作したときに、操作キーが当接部を中心に傾いてしまっても、操作キーに形成された当接部の位置に応じて、複数の突出部それぞれの突出長さを変化させているので、突出部を回路基板に適切に当接させることができる。これにより、操作キーからタクトスイッチへの衝撃力を適切に緩和することができる。
【００１３】
請求項７に係るキー入力装置では、請求項１から６のいずれかに記載のキー入力装置において、複数の突出部の少なくとも１つが、回路基板に当接する頻度の高い突出部の近傍に近接して配置されている。この場合、回路基板に当接する頻度の高い突出部の近傍には、他の突出部の少なくとも１つが近接した状態で配置される。これにより、ある突出部が回路基板に当接する頻度が高くなるような場合でも、回路基板に当接する頻度の高い突出部と回路基板に当接する頻度の高い突出部の近傍に配置された突出部とによって、操作キーからタクトスイッチへの衝撃力を安定的に緩和することができる。
【発明の効果】
【００１４】
本発明によれば、操作キーが急激に押し下げられたときに、複数の突出部の少なくとも１つが回路基板に当接するようになっているので、操作キーからタクトスイッチへの衝撃力を緩和することができる。また、操作キーが押し下げられるときには、操作キーがタクトスイッチを直接押圧してタクトスイッチがオンオフ動作するようになっているので、操作キーを押し下げたときのクリック感を十分に得ることができる。
【発明を実施するための最良の形態】
【００１５】
図１は、本発明の一実施形態による複写機の操作パネルの一部の拡大図を示している。また、図２は、操作パネルの分解斜視部を示している。以下の説明で使用される「前方、手前、上、下、右側、左側」などの方向を示す用語は、ユーザが複写機の操作パネルを操作するときの姿勢を基準として定義されている。つまり、図１に示した操作パネルの図面において、図面下側を「手前」、図面上側を「前方」、図面左側を「左側」、図面右側を「右側」、図面左側を左側として定義されている。
【００１６】
操作パネル１は複写機の上面に配置されている。この操作パネル１は、図１および図２に示すように、主に、カバー部材２と、液晶パネル３と、回路基板４と、タクトスイッチ６および操作キー７を有するキー入力装置５と、回路基板４への埃等の浸入を防止するための防塵シート（図示しない）とを備えている。
【００１７】
カバー部材２には、液晶パネル３を装着するための液晶パネル装着部２ａと、回路基板４を取付部材１０を介してカバー部材２に装着するための取付部１１（図３参照）と、キー入力装置５の操作キー７を装着するための操作キー装着孔２ｂとが設けられている。また、カバー部材２には、操作キー７をカバー部材の裏側で支持するためのキー支持部（図示しない）が設けられている。このキー支持部は、たとえば、操作キー装着孔２ｂの近傍においてカバー部材２の裏側から突出して突起状に形成されている。液晶パネル３は、カバー部材２の液晶パネル装着部２ａに装着される。液晶パネル３は、たとえば複写機に各種設定を指示可能なタッチパネルになっている。液晶パネル３には、複写機の各種設定情報や複写機の動作情報等が表示される。また、液晶パネル３には、ユーザが操作パネルに対して行った操作結果が反映して表示される。回路基板４には、液晶パネル３を制御する液晶制御回路（図示しない）が設けられている。また、回路基板４には、回路基板４を取付部材１０を介してカバー部材２に装着するための装着用孔４ａが設けられている。この装着用孔４ａは、図３に示すように、後述する複数の突出部７１ｄ，７２ｄが回路基板４に当接する部分から所定の間隔以上離れるように形成される。ここでは、装着用孔４ａと複数の突出部７１ｄ，７２ｄが回路基板４に当接する部分との間隔Ｘ１が、約２ｍｍ以上なるように形成されている。これにより、突出部７１ｄ，７２ｄが回路基板４に当接しても、装着用孔４ａ近傍にひび割れ等の損傷を生じさせないようにすることができる。このような回路基板４上に、キー入力装置５が設置される。
【００１８】
キー入力装置５は、タクトスイッチ６および操作キー７を有している。タクトスイッチ６は、後述する操作キー７の押し下げ操作によりオンオフ動作するようになっている。タクトスイッチ６は、図４に示すように、タクトスイッチ本体６ａとスイッチ部６ｂとからなっている。このタクトスイッチ６は、タクトスイッチ本体６ａが回路基板４上に、たとえばはんだ付け等によって取り付けられている。スイッチ部６ｂは、操作キー７の押し下げ操作時に操作キー７が当接する部分である。このスイッチ部６ｂが操作キー７によって押圧されることにより、タクトスイッチ本体６ａがオンオフ動作するようになっている。
【００１９】
操作キー７は、キー入力時にユーザにより押し下げられる部材である。ここでは、図１および図２に示したストップキー７１およびスタートキー７２を用いて、操作キー７の説明を行うものとする。ストップキー７１およびスタートキー７２それぞれは、図５および図６に示すように、操作キー本体７１ａ，７２ａと、位置決め部７１ｂ，７２ｂと、スイッチ当接部７１ｃ，７２ｃと、複数の突出部７１ｄ，７２ｄとを有している。操作キー本体７１ａ，７２ａは、有底円筒状に形成されている。ここで、スタートキー７２の操作キー本体の底部には、モードをＬＥＤ表示するためのモード表示窓７２ｇが設けられている。位置決め部７１ｂ，７２ｂは、操作キー本体７１ａ，７２ａの開口側端部において外周面から外方に突出して一体に形成される円環部７１ｆ，７２ｆと、円環部７１ｆ，７２ｆから外方に突出して一体に形成される位置決め突起７１ｅ，７２ｅとを有している。この位置決め突起７１ｅ，７２ｅは、円環部７１ｆ，７２ｆの外周面において所定の間隔を隔てて設けられている。スイッチ当接部７１ｃ，７２ｃは、タクトスイッチ６のスイッチ部６ｂに当接する部分であり、操作キー本体７１ａ，７２ａの底部から開口側に突出して一体に形成されている。ここで、ストップキー７１のスイッチ当接部７１ｃは操作キー本体７１ａの底部中央部に設けられており、スタートキー７２のスイッチ当接部７２ｃはモード表示窓７２ｇに干渉しないように操作キー本体７２ａの底部中央から偏心した位置に設けられている。複数の突出部７１ｄ，７２ｄは、たとえば、操作キー本体７１ａ，７２ａの開口側端部から円筒軸方向に突出して一体に形成された４本の突出部７１ｄ，７２ｄからなっている。４本の突出部７１ｄ，７２ｄは、たとえば円柱状に形成されている。４本の突出部７１ｄ，７２ｄは、４本の突出部７１ｄ，７２ｄの少なくとも１つが回路基板４に当接可能になっている。この４本の突出部７１ｄ，７２ｄは、操作キー７が急激に押し下げられたときに、４本の突出部７１ｄ，７２ｄの少なくとも１つが回路基板４に当接するようになっている。ここで、たとえば、スタートキー７２のモード表示窓７２ｇ側に形成された２本の突出部７２ｄは、他の２本の突出部７２ｄよりも断面積が大きくなるように形成されている。また、たとえば、スタートキー７２のモード表示窓７２ｇ側に形成された２本の突出部７２ｄは、他の２本の突出部７２ｄより突出長さが短くなっている（Ｌ１＜Ｌ２）。
【００２０】
防塵シート（図示しない）は、回路基板４と操作キー７との間に配置される。この防塵シートには複数の貫通孔が形成されている。これら複数の貫通孔は、防塵シートが回路基板４と操作キー７との間に配置された状態で、各タクトスイッチ６の近傍に設けられている。これら複数の貫通孔には、各操作キー７の突出部７１ｄ，７２ｄが挿通される。
【００２１】
以下では、操作パネル１の組立方法について説明する。まず、防塵シートが、回路基板４と回路基板４上に取り付けられたタクトスイッチ６とを覆うように回路基板４上に配置される。次に、操作キー７がカバー部材２の操作キー装着孔２ｂに配置される。たとえば、ストップキー７１およびスタートキー７２では、操作キー本体７１ａ，７２ａが操作キー装着孔２ｂに下方から操作キー装着孔２ｂに挿通される。そして、位置決め部７１ｂ，７２ｂの位置決め突起７１ｅ，７２ｅをカバー部材２の裏側に設けられたキー支持部に係合させて、位置決め部７１ｂ，７２ｂの円環部７１ｆ，７２ｆをカバー部材２の裏面に当接させる。このとき、モード表示窓７２ｇが設けられた操作キー７は、モード表示窓７２ｇが前方に位置するように操作パネル１に配置される。このように操作キー７が配置されたカバー部材２を、タクトスイッチ６と防塵シートとが配置された回路基板４上に設置される。このとき、各操作キー７の４本の突出部７１ｄ，７２ｄは、操作キー７と回路基板４との間でタクトスイッチ６の外周に配置され、防塵シートの複数の貫通孔に挿通される。この状態で、取付部材１０を回路基板４に設けられた装着用孔４ａに挿通してカバー部材の取付部１１に固定することで、回路基板４がカバー部材２に装着される。このようにして操作パネル１が組み立てられたとき、カバー部材２に支持された操作キー７と回路基板４上に取り付けられたタクトスイッチ６との間には、第１隙間ａが設けられている。また、操作キー７の４本の突出部７１ｄ，７２ｄの先端と回路基板４との間には、第２隙間ｂが設けられている。このとき、第１隙間ａが第２隙間ｂより小さくなるように、操作キー７はタクトスイッチ６の上方に配置される。ここでは、第１隙間ａは、たとえば０．３ｍｍに設定されており、第２隙間ｂは、０．５ｍｍに設定されている。
【００２２】
次に、組み立てられた操作パネル１のキー入力装置５の動作を説明する。キー入力装置５の操作キー７が押し下げられると、操作キー７がタクトスイッチ６を押圧して、タクトスイッチがオンオフされる。
【００２３】
たとえば、ストップキー７１の場合、ストップキー７１が押し下げられると、ストップキー７１のスイッチ当接部７１ｃがタクトスイッチ６のスイッチ部６ｂに直接当接してスイッチ部６ｂを押圧する。すると、タクトスイッチ本体６ａがオンオフ動作する。このようにストップキー７１のスイッチ当接部７１ｃがタクトスイッチ６のスイッチ部６ｂに直接当接してスイッチ部６ｂを押圧するようになっているので、ストップキー７１が押し下げられたときのクリック感を十分に得ることができる。ここで、ストップキー７１のスイッチ当接部７１ｃは操作キー本体７１ａの底部中央部に設けられているので、ストップキー７１は回路基板４に対してほぼ垂直に押し下げられる。このため、タクトスイッチ６が取り付けられた回路基板４は、ストップキー７１の押し下げ方向に撓みを生じる。特に、ストップキー７１からタクトスイッチへ６に衝撃力が入力されたときには、回路基板４の撓みが大きくなり、４本の突出部７２ｄの少なくとも１つが回路基板４に当接する。これにより、ストップキー７１からタクトスイッチ６への衝撃力を緩和することができる。
【００２４】
たとえば、スタートキー７２の場合、スタートキー７２が押し下げられると、スタートキー７２のスイッチ当接部７２ｃがタクトスイッチ６のスイッチ部６ｂに直接当接してスイッチ部６ｂを押圧する。すると、タクトスイッチ本体６ａがオンオフ動作する。このようにスタートキー７２のスイッチ当接部７２ｃがタクトスイッチ６のスイッチ部６ｂに直接当接してスイッチ部６ｂを押圧するようになっているので、スタートキー７２が押し下げられたときのクリック感を十分に得ることができる。
【００２５】
ここで、スタートキー７２のスイッチ当接部７２ｃはモード表示窓７２ｇに干渉しないように操作キー本体７２ａの底部中央から偏心した位置に設けられているので、スタートキー７２は前方（モード表示窓７２ｇ側）に傾きながらタクトスイッチ６側に押し下げられる。このため、タクトスイッチ６が取り付けられた回路基板４は、スタートキー７２の押し下げ方向に撓みを生じる。特に、スタートキー７２からタクトスイッチへ６に衝撃力が入力されたときには、回路基板４の撓みが大きくなり、４本の突出部７２ｄの少なくとも１つが回路基板４に当接する。このとき、スタートキー７２は前方に傾きながらタクトスイッチ６側に押し下げられているので、スタートキー７２のモード表示窓７２ｇ側に形成された２本の突出部７２ｄが回路基板４に当接しやすくなる。しかしながら、スタートキー７２のモード表示窓７２ｇ側に形成された２本の突出部７２ｄは、他の２本の突出部７２ｄより突出長さが短くなっている（Ｌ１＜Ｌ２）ので、スタートキー７２の４本の突出部７２ｄの少なくともいずれか１つを回路基板４に適切に当接させることができる。これにより、突出部７２ｄが回路基板４に当接した時に、回路基板４が損傷しにくくすることもできる。また、スタートキー７２のスイッチ当接部７２ｃがモード表示窓７２ｇに干渉しないように操作キー本体７２ａの底部中央から偏心した位置に設けられると、タクトスイッチ６の前方側（モード表示窓７２ｇ側）において回路基板４の撓みが比較的大きくなってしまうことがある。この場合、スタートキー７２のモード表示窓７２ｇ側に形成された２本の突出部７２ｄの突出長さＬ１を、他の２本の突出部７２ｄの突出長さＬ２より短くなる（Ｌ１＜Ｌ２）ように形成すると、スタートキー７２のモード表示窓７２ｇ側に形成された２本の突出部７２ｄが回路基板４に当接しにくくなる。しかしながら、スタートキー７２が前方に傾くことを考慮すると、スタートキー７２の４本の突出部７２ｄの少なくともいずれか１つを回路基板４に適切に当接させることができる。
【００２６】
また、スタートキー７２のモード表示窓７２ｇ側に形成された２本の突出部７２ｄは、他の２本の突出部７２ｄよりも断面積が大きくなるように形成されている。これにより、スタートキー７２のモード表示窓７２ｇ側に形成された２本の突出部７２ｄが回路基板４に急激に当接するようなことがあっても、スタートキー７２のモード表示窓７２ｇ側に形成された２本の突出部７２ｄを損傷させることなく回路基板４に当接させることができ、操作キーからタクトスイッチへの衝撃力を適切に緩和することができる。
【００２７】
以上のようにキー入力装置５を構成して動作するようにしておくと、操作キー７が押し下げられたときには、操作キー７のスイッチ当接部７１ｃ，７２ｃがタクトスイッチ６のスイッチ部６ｂを直接押圧することができ、操作キー７を押し下げたときのクリック感を十分に得ることができる。また、操作キー７が急激に押し下げられるようなことがあっても、４本の突出部７１ｄ，７２ｄの少なくとも１つを回路基板４に当接させることで、操作キー７からタクトスイッチ６への衝撃力を緩和することができる。
【００２８】
〔他の実施形態〕
（ａ）前記実施形態では、複写機を例にしてキー入力装置５の説明を主に示したが、本発明は、プリンタおよびファクシミリなどやこれら複合機、パーソナルコンピュータおよびワードプロセッサなどの電気機器や電子機器にも適用することができる。
【００２９】
（ｂ）前記実施形態では、操作キー７に４本の突出部７１ｄ，７２ｄが一体に形成される場合の例を示したが、操作キー７に形成される突出部の本数は、前記実施形態に限定されず、複数であれば何本であっても良い。また、前記実施形態では、操作キー７に４本の突出部７１ｄ，７２ｄをほぼ等間隔に配置した場合の例を示したが、操作キー７に突出部を配置する方法は、前記実施形態に限定されず、突出部を不等間隔に配置しても良い。たとえば、図７に示すように、操作キー１０７に５本の突出部１７２ｄを形成して、操作キー１０７のモード表示窓１７２ｇ側に形成された３本の突出部１７２ｄが互いに近接するように配置されるようにしても良い。この場合、モード表示窓１７２ｇ側に形成された３本の突出部１７２ｄの断面積を他の２本の突出部１７２ｄの断面積より大きくしなくても、モード表示窓１７２ｇ側の突出部１７２ｄが、回路基板に当接したときに損傷しにくくすることができる。
【００３０】
（ｃ）前記実施形態では、スタートキー７２のモード表示窓７２ｇ側に形成された２本の突出部７２ｄが他の２本の突出部７２ｄよりも断面積が大きくなるように形成される場合の例を示したが、突出部の断面積を大きくする方法は、前記実施形態に限定されず、どのようにしても良い。たとえば、図８に示すように、スタートキー２７２のモード表示窓２７２ｇ側に形成された突出部２７２ｄを、たとえば、操作キー本体２７２ａの開口側端部から円筒軸方向に円弧状に突出させて一体に形成しても良い。この場合でも、前記実施形態と同様の効果を得ることができる。
【００３１】
（ｄ）前記実施形態では、スタートキー７２のモード表示窓７２ｇ側に形成された２本の突出部７２ｄが他の２本の突出部７２ｄよりも断面積が大きくなるように形成される場合の例を示したが、複数の突出部の強度を安定的に確保することができれば、複数の突出部すべての断面積が同じになるように突出部を形成しても良い。
【図面の簡単な説明】
【００３２】
【図１】本実施形態による複写機の操作パネルの部分拡大図。
【図２】前記操作パネルの分解斜視部。
【図３】前記操作パネルの断面図。
【図４】前記操作パネルに設けられたキー入力装置の側面図。
【図５】前記キー入力装置の操作キー（ストップキー）を裏面側から見た斜視図。
【図６】前記キー入力装置の操作キー（スタートキー）を裏面側から見た斜視図。
【図７】他の実施形態による図５に相当する図。
【図８】他の実施形態による図５に相当する図。
【符号の説明】
【００３３】
１  操作パネル
２  カバー部材
４  回路基板
５  キー入力装置
６  タクトスイッチ
６ａ  タクトスイッチ本体
６ｂ  スイッチ部
７，１０７  操作キー
７１  操作キー（ストップキー）
７２，１７２，２７２  操作キー（スタートキー）
７１ａ，７２ａ，２７２ａ  操作キー本体
７１ｂ，７２ｂ  位置決め部
７１ｃ，７２ｃ  スイッチ当接部（当接部）
７１ｄ，７２ｄ，１７２ｄ，２７２ｄ  突出部
７１ｆ，７２ｆ  円環部
７１ｇ，７２ｇ，１７２ｇ，２７２ｇ  モード表示窓
Ｌ１，Ｌ２  突出部の突出長さ
ａ  第１隙間
ｂ  第２隙間
【図１】
2005190380.tif 000003
【図２】
2005190380.tif 000004
【図３】
2005190380.tif 000005
【図４】
2005190380.tif 000006
【図５】
2005190380.tif 000007
【図６】
2005190380.tif 000008
【図７】
2005190380.tif 000009
【図８】
2005190380.tif 000010